(57)【要約】【課題】  本発明は、顕微鏡の位置を容易に調節することができ、かつ収納することができる機構を備えた顕微鏡を提供することを目的とする。【解決手段】  本発明は、顕微鏡本体と、前記顕微鏡本体を保持する顕微鏡保持部と、前記顕微鏡保持部に接続されたスライド収納機構とを備えた顕微鏡を提供する。また、本発明は、スライド収納機構が、該収納部の両側に設けられた固定レールと、該固定レールに沿ってスライド可能に支持される可動レールとから構成される、上記記載の顕微鏡を提供する。また、本発明は、スライド収納機構が多段階にスライド収納される、上記記載の顕微鏡を提供する。【選択図】      図1
2011203395.tif 000002
【特許請求の範囲】
【請求項１】
顕微鏡本体と、
前記顕微鏡本体を保持する顕微鏡保持部と、
前記顕微鏡保持部に接続されたスライド収納機構と、
を備えた顕微鏡。
【請求項２】
前記スライド収納機構が、前記スライド収納機構の収納部の両側に設けられた固定レールと、前記固定レールに沿ってスライド可能に支持される可動レールとから構成される、請求項1に記載の顕微鏡。
【請求項３】
前記スライド収納機構が多段階にスライド収納される、請求項1に記載の顕微鏡。
【請求項４】
上下調節部をさらに備えた、請求項1または2に記載の顕微鏡。
【請求項５】
スタンド保持部をさらに備えた、請求項1〜3のいずれか1項に記載の顕微鏡。
【発明の詳細な説明】
【技術分野】
【０００１】
本発明は、顕微鏡に関する。より詳細には、本発明は、顕微鏡の位置を容易に調節することができ、かつ収納することができる機構を備えた顕微鏡に関する。
【背景技術】
【０００２】
通常、顕微鏡は、机上に設置した状態で使用される。その際に、顕微鏡は、しっかりと固定された顕微鏡台に設置されることが多い。しかし、机上に顕微鏡台を固定したままでは、容易に移動することができない。このため、他の作業を行う際には、非常に不便であった。
【０００３】
たとえば、歯科分野では、細かな作業を行うことが多く、顕微鏡を使用して種々の作業を行う必要がある。一方、顕微鏡を使用して作業を行う場合であっても、常に顕微鏡を使用して作業を行うわけではない。顕微鏡を使用しない作業を同時にこなすことも多い。
【０００４】
顕微鏡を使用して種々の作業を行うとともに、顕微鏡を使用しない他の作業を行う場合には、顕微鏡が邪魔になってしまうことがある。しかし、顕微鏡台に固定された顕微鏡は、容易に移動することができない。このような状況では、顕微鏡台に固定されていると非常に不便であった。したがって、容易に収納・移動させることができる顕微鏡が望まれている。
【０００５】
たとえば、特許文献1には、診察又は治療の際に横臥姿勢にある患者に機器を接近させ、診察又は治療が終了したとき患者から機器を離隔させて患者が診療ユニットから離脱する際に邪魔にならないようにした歯科用機器の支持装置が開示されている。この装置は、歯科診療または治療の際に、診療を終了した医師がより簡単な操作で顕微鏡を診療ユニットから退避させることを目的として、ダンパーによって退避させるように構成されている。
【０００６】
また、特許文献2には、手術顕微鏡用のスタンドであって、スペース内における顕微鏡の移動を妨害なく可能にするとともに、観察すべき領域に対する、操作者の明瞭な視界を妨害しないスタンドが開示されている。
【０００７】
これらの装置は、手術の際に医師がより簡単な操作で顕微鏡を移動させることを目的としており、大がかりな装置となっている。このため、歯科分野などにおいて、細かな作業を行うために使用するためには適していない。
【先行技術文献】
【特許文献】
【０００８】
【特許文献１】特開2001-333914号公報
【特許文献２】特開2001-516461号公報
【発明の概要】
【発明が解決しようとする課題】
【０００９】
上記状況を鑑み、本発明は、顕微鏡の位置を調節することができ、かつ収納することができる機構を備えた顕微鏡を提供することを目的とする。
【課題を解決するための手段】
【００１０】
本発明は、顕微鏡本体と、顕微鏡本体を保持する顕微鏡保持部と、顕微鏡保持部に接続されたスライド収納機構とを備えた顕微鏡を提供する。
【００１１】
また、本発明は、スライド収納機構が、スライド収納機構の収納部の両側に設けられた固定レールと、固定レールに沿ってスライド可能に支持される可動レールとから構成される、上記記載の顕微鏡を提供する。
【００１２】
また、本発明は、スライド収納機構が多段階にスライド収納される、上記記載の顕微鏡を提供する。
【００１３】
また、上下調節部をさらに備えた、上記記載の顕微鏡を提供する。
【００１４】
また、スタンド保持部をさらに備えた、上記記載の顕微鏡を提供する。
【発明の効果】
【００１５】
本発明の顕微鏡によれば、使用者は、容易に顕微鏡の位置を移動することができ、かつ収納することができる。
【図面の簡単な説明】
【００１６】
【図１】本発明の顕微鏡の一例を示す模式図。
【図２】本発明の顕微鏡の一例を示す模式図。
【図３】本発明の顕微鏡のスライド収納機構の一例を示す模式図。
【図４】本発明の顕微鏡のスライド収納機構の断面図の一例を示す模式図。
【発明を実施するための形態】
【００１７】
以下、本発明の顕微鏡について、図面を参照しながら説明する。本発明の顕微鏡は、これらの図面に示された態様に限定されるわけではない。
【００１８】
図1は、本発明の顕微鏡の一例を示す図である。本発明の顕微鏡1を側面からみた側面図である。本発明の顕微鏡1は、顕微鏡本体2と、顕微鏡本体2を保持する顕微鏡保持部3と、顕微鏡保持部3に接続されたスライド収納機構4とを備える。
【００１９】
本明細書において、顕微鏡とは、通常使用される意味を有し、レンズまたはレンズ系で微小物体を拡大する器械を意味する。また、本発明の顕微鏡には、いずれのタイプの顕微鏡も含まれ、たとえば、光学顕微鏡、特に実体顕微鏡を含む。
【００２０】
本発明の顕微鏡は、顕微鏡本体2を有する。顕微鏡本体2は、レンズまたはレンズ系で微小物体を拡大する機能を有する任意の装置であることができる。
【００２１】
顕微鏡本体2は、顕微鏡保持部3によって保持される。顕微鏡保持部3は、任意の方法によって顕微鏡本体2を保持することができる。たとえば、顕微鏡本体2が嵌合される形状を有することにより、顕微鏡本体2を保持することができる。図1および図2に示したように、顕微鏡本体2が円形の部分によって保持される場合は、顕微鏡保持部3も円形の形状にすることができる。また、顕微鏡本体2は、顕微鏡保持部3に接着剤やねじなどで保持させることもできる。
【００２２】
また、顕微鏡保持部3は、任意の材料で作製することができる。顕微鏡本体2をしっかりと保持することができるように、鉄などの強固な材料でできていることが好ましい。
【００２３】
また、顕微鏡本体2は、顕微鏡保持部3に対して任意の向きで保持させることができる。たとえば、図1および図2に示したように、水平に保持させることができる。さらに、顕微鏡保持部3は、任意の方向に回動可能な構造を有することができる。このような構造を有することにより、顕微鏡本体2を所望の方向に容易に操作することができる。
【００２４】
また、顕微鏡保持部3は、スライド収納機構4に接続されているが、顕微鏡本体2は、スライド収納機構4に直接接続することができる。たとえば、顕微鏡本体2は、ねじを使用することにより、顕微鏡本体2およびスライド収納機構4のねじ穴を介して、スライド収納機構4末端の顕微鏡保持部3に直接取り付けることもできる。また、顕微鏡本体2は、接着剤を使用して、スライド収納機構4末端の顕微鏡保持部3に直接取り付けることもできる。
【００２５】
上記のとおり、顕微鏡保持部3には、スライド収納機構4が接続される。スライド収納機構4は、伸縮自在の任意の構造を有する機構であることができる。たとえば、スライド収納機構4は、図1〜図4に示したように、スライド収納部5の収納部の両側に設けられた固定レール6と、固定レール6に沿ってスライド可能に支持される可動レール7とから構成することができる。したがって、スライド収納機構4は、固定レール6に沿って可動レール7をスライドさせることにより、引き出しのように自在に出し入れ可能な構造を有する。
【００２６】
図3および図4には、上記のように、固定レール6と可動レール7とで構成されるスライド収納機構4の一例を示してある。図3には、スライド収納機構4の断面図を示してある。また、図4には、スライド収納機構4の斜視図を示してある。
【００２７】
このように、可動レール7は、固定レール6に保持された状態で、可動レール7の移動によってスライド移動するので、スライド収納機構4に接続された顕微鏡保持部3および顕微鏡本体2を滑らかに出し入れすることができる。さらに、可動レール7は、固定レール6に沿って移動するので、スライド収納機構4内におけるスライド経路が決まっている。これにより、スライド収納機構4内で可動レール7がガタつくことが無く、スライド動作に不具合を生じることなく、出し入れを滑らか、かつ安定して行うことができる。
【００２８】
また、本発明のスライド収納機構4は、1セットの固定レール6と可動レール7とで構成されるだけでなく、複数セットの固定レール6と可動レール7とにより、多段階のスライド収納機構として構成することもできる。たとえば、図3および図4には、2段階でスライドおよび収納することができるスライド収納機構4を示している。これらの図に示したような構造の場合、スライド収納機構4の両方の外側にある固定レール6aと可動レール7aがセットとし機能する。このセットでは、可動レール7aをスライド移動することができる。また、スライド収納機構4の内側にある固定レール6bと可動レール7bもセットとして機能する。このセットでは、可動レール7bをスライド移動することができる。このような機構を有することにより、スライド機構を1セットしか備えていない場合よりも可動距離を長くすることができる。本発明のスライド収納機構4は、図3および図4に示したような2段階でスライドおよび収納することができるスライド収納機構に限定されることはなく、さらに何段階ものスライド収納機構を備えることができる。
【００２９】
本発明のスライド収納機構4は、上記の構造を有するものだけでなく、伸縮自在のスライド機構であれば任意の機構を有することができる。たとえば、一般的に引き出しなどのスライド機構に採用されているスライドおよび収納が可能なあらゆる機構を採用することができる。
【００３０】
また、スライド収納機構4は、任意の材料で作製することができる。すべてを鉄などの強固な材料で作製することが好ましいが、スライド収納部5、固定レール6および可動レール7は、異なる材料で作製することもできる。また、これらの構造は、当業者であれば図面を参照して容易に作製することができるであろう。
【００３１】
本発明の顕微鏡は、上下調節部8をさらに備えることができる。たとえば、上下調節部8は、図2に示したように、スライド収納機構4の一端に取り付けることができる。しかし、上下調節部8は、本発明の顕微鏡のいずれの位置に取り付けることもできる。本発明の顕微鏡は、上下調節部8を有することにより、顕微鏡の高さを自在に調節することができる。
【００３２】
また、上下調節部8は、自在に回転することができる構造とすることもできる。たとえば、図2に示したように、上下調節部8は、内側軸8aおよび外側軸8bから構成し、内側軸8aを外側軸8bの内部に嵌合形状にすることにより、内側軸8aを自在に回転させることができる。また、止め具8cにより、上下調節部8を所望の高さに調節することができる。
【００３３】
本発明の顕微鏡は、スタンド保持部9をさらに備えることができる。たとえば、スタンド保持部9は、図2に示したように、上下調節部8を介して取り付けることができる。しかし、スタンド保持部9は、本発明の顕微鏡のいずれの位置に取り付けることもできる。図2に示したようなスタンド保持部9の場合、固定部9aを机の端などに設置して、机の下面から押圧部9bによって挟み込むことにより、スタンド保持部9を固定することができる。押圧部9bは、通常の万力と同様にねじ切りされており、回転することによりその固定力を調節することができる。
【００３４】
本発明の顕微鏡は、図2に示したような、スタンド保持部9に加えて、任意の形状のスタンド保持部であることができる。たとえば、スライド収納機構4の一端を、所望の場所に直接取り付けることができる。スライド収納機構4の顕微鏡保持部3とは反対側の端を、顕微鏡を設置したい机上に対して直接取り付けることができる。
【産業上の利用可能性】
【００３５】
本発明の顕微鏡は、歯科分野などにおいて、細かな作業を行うために使用するために使用することができる。
【符号の説明】
【００３６】
1・・・顕微鏡
2・・・顕微鏡本体
3・・・顕微鏡保持部
4・・・スライド収納機構
5・・・スライド収納部
6・・・固定レール6
6a・・・固定レール6
6b・・・固定レール6
7・・・可動レール
7a・・・可動レール
7b・・・可動レール
8・・・上下調節部
8a・・・、内側軸
8b・・・外側軸
8c・・・止め具
9・・・スタンド保持部
9a・・・固定部
9b・・・押圧部
【図１】
2011203395.tif 000003
【図２】
2011203395.tif 000004
【図３】
2011203395.tif 000005
【図４】
2011203395.tif 000006